(57)【要約】【課題】ディスクトレイのアンローディング完了時の横揺れを防止し、動作品位を向上させた光ディスク装置を提供することである。【解決手段】光ディスク装置は、ディスクトレイ１１をアンローディング完了位置で止める抜け止めリブ１５ａ、１５ｂと、ストッパ２３ａ、２３ｂとを備え、抜け止めリブ１５ａ、１５ｂは、ラック１４に近い方の第１の抜け止めリブ１５ａと、ラック１４から遠い方の第２の抜け止めリブ１５ｂとからなり、ストッパ２３ａ、２３ｂは、第１の抜け止めリブ１５ａに対向する第１のストッパ２３ａと、第２の抜け止めリブ１５ｂに対向する第２のストッパ２３ｂとからなり、第２の抜け止めリブ１５ｂが第１の抜け止めリブ１５ａよりも前方に設けられ、アンローディングの際に、第１及び第２の抜け止めリブ１５ａ、１５ｂがそれぞれ第１及び第２のストッパ２３ａ、２３ｂに同時に衝突する構成とする。【選択図】図３
2007193871.tif 000002
【特許請求の範囲】
【請求項１】
光ディスクを搬送するディスクトレイと、該ディスクトレイを支持するシャーシと、前記ディスクトレイの裏面の左右側縁に沿って設けられたガイド溝と、該ガイド溝がそれぞれ嵌合するように前記シャーシに設けられた複数の摺動リブと、一方の前記ガイド溝の側壁に沿って設けられたラックと、前記シャーシに設けられ前記ラックに噛合して前記ディスクトレイを駆動するピニオンと、前記ディスクトレイをアンローディング完了位置で止めるため、前記ディスクトレイの後端付近の左右側面に設けられた抜け止めリブと、該抜け止めリブに対向して前記シャーシの前端付近に設けられたストッパとを備えた光ディスク装置において、
前記抜け止めリブは、前記ラックに近い方の第１の抜け止めリブと、前記ラックから遠い方の第２の抜け止めリブとからなり、
前記ストッパは、第１の抜け止めリブに対向する第１のストッパと、第２の抜け止めリブに対向する第２のストッパとからなり、
第２の抜け止めリブが第１の抜け止めリブよりも前方に設けられ、アンローディングの際に、第１及び第２の抜け止めリブがそれぞれ第１及び第２のストッパに同時に衝突することを特徴とする光ディスク装置。
【請求項２】
光ディスクを搬送するディスクトレイと、該ディスクトレイを支持するシャーシと、前記ディスクトレイに搬送方向に沿って設けられたラックと、前記シャーシに設けられ前記ラックに噛合して前記ディスクトレイを駆動するピニオンと、前記ディスクトレイをアンローディング完了位置で止めるため、前記ディスクトレイの後端付近の左右側面に設けられた抜け止めリブと、該抜け止めリブに対向して前記シャーシの前端付近に設けられたストッパとを備えた光ディスク装置において、
アンローディングの際に、それぞれの抜け止めリブとストッパとを同時に衝突する位置に設けることを特徴とする光ディスク装置。
【請求項３】
前記抜け止めリブは、前記ラックに近い方の第１の抜け止めリブと、前記ラックから遠い方の第２の抜け止めリブとからなり、
前記ストッパは、第１の抜け止めリブに対向する第１のストッパと、第２の抜け止めリブに対向する第２のストッパとからなり、
第２の抜け止めリブが第１の抜け止めリブよりも前方に設けられることを特徴とする請求項２記載の光ディスク装置。
【請求項４】
前記抜け止めリブは、前記ラックに近い方の第１の抜け止めリブと、前記ラックから遠い方の第２の抜け止めリブとからなり、
前記ストッパは、第１の抜け止めリブに対向する第１のストッパと、第２の抜け止めリブに対向する第２のストッパとからなり、
第２のストッパが第１のストッパよりも後方に設けられることを特徴とする請求項２記載の光ディスク装置。
【発明の詳細な説明】
【技術分野】
【０００１】
本発明は、光ディスクを搬送するディスクトレイを備えた光ディスク装置に関するものである。
【背景技術】
【０００２】
光ディスク装置における光ディスクの搬送手法の１つにディスクトレイを用いるものがある。その構成は、ディスクトレイの搬送方向にラックを設け、ラックに噛合するピニオンの回転を制御することによりディスクトレイを駆動させる方式である。図５に、ディスクトレイとローダシャーシの平面図を示す。ディスクトレイ１０１の裏面には搬送方向にラック１４とガイド溝１３ａ、１３ｂとが形成され、ローダシャーシ２００にはラック１４に噛合するピニオン２２とガイド溝１３ａ、１３ｂを摺動させる摺動リブ２１ａ〜２１ｄとが設けられている。
【０００３】
図５において、ピニオン２２が時計回りに回転すると摺動リブ２１ａ〜２１ｄに沿ってガイド溝１３ａ、１３ｂが摺動してディスクトレイ１０１がアンローディングされ、逆にピニオン２２が反時計回りに回転するとディスクトレイ１０１がローディングされる。ディスクトレイ１０１の後端付近の両側面には、アンローディング完了位置でディスクトレイ１０１を止めるための突起である抜け止めリブ１０５ａ、１０５ｂが形成されている。一方、ローダシャーシ２００には、抜け止めリブ１０５ａ、１０５ｂに対向する突起であるストッパ２３ａ、２３ｂが形成されている。アンローディングの最中に抜け止めリブ１０５ａ、１０５ｂがストッパ２３ａ、２３ｂに衝突することでディスクトレイ１０１が止まり、アンローディング完了となる。
【０００４】
以下の文献にもディスクトレイのローディングに関する技術が開示されている。例えば、特許文献１には、トレイがラックを形成している側に若干回動するように、左右のピンと突起の位置を調整しておくことにより、駆動ギアを時計方向に回転して、トレイを本体側にローディングさせるとき、トレイがそれ以上時計方向に回動し、ガタツキが発生することを抑制するディスクローディング装置が開示されている。
【０００５】
また特許文献２には、筐体の両側板部間に架設した横桁部の前側に略Ｊ字状弾性板が一体突設され、該弾性板の先端をＵ字状に形成した一方のガイド溝の一側面に押し付けることにより、該ガイド溝の他側面をガイド部材の側面に当接させてトレイを傾かせることなく直線的に前後進させるディスクプレーヤが開示されている。
【０００６】
また特許文献３には、ディスクガイド凹部とトレイ前壁とで構成されるトレイの裏面に備えたラックと係合する駆動ギヤから印加される回転モーメントを、トレイの摺動面に備えた弾性部材に連接する突起部と外側壁とが係合することで、回転モーメントを抑制する付勢力がトレイに印加され、トレイの横振れを低減するローディング装置が開示されている。
【特許文献１】特開平５−２６６５６３号公報
【特許文献２】特開２００４−２２７６９５号公報
【特許文献３】特開２００３−１６７１２号公報
【発明の開示】
【発明が解決しようとする課題】
【０００７】
図５は、ディスクトレイをアンローディングしている最中の状態を示している。ラック１４側の抜け止めリブ１０５ａはストッパ２３ａに衝突しているが、反対側の抜け止めリブ１０５ｂはまだストッパ２３ｂに衝突していない。アンローディング中のディスクトレイ１０１は左右対称にアンローディングされるのではなく、ラック１４側が先にアンローディングされるからである。ラック１４側に力が掛かった状態でディスクトレイ１０１が押し出されるので、このとき摺動リブ１０５ａ、１０５ｂとガイド溝１３ａ、１３ｂとの間の隙間分だけディスクトレイ１０１が傾いてアンローディングされるのである。
【０００８】
図５の状態から更にアンローディングは継続され、反対側の抜け止めリブ１０５ｂがストッパ２３ｂに衝突した時点でアンローディング完了となる。この一連のアンローディング動作を観察すると、ディスクトレイ１０１がラック１４側にやや傾いた状態でアンローディングし、ディスクトレイ１０１のラック１４側の端が止まった後に、ディスクトレイ１０１が横揺れしながら真っ直ぐな状態になって反対側の端が止まりアンローディングが完了する。このような動作は装置への悪影響はないが、動作品位に欠ける。
【０００９】
また特許文献１〜３には、アンローディング完了時のディスクトレイの横揺れ（がたつき）を改善する点については記載されていない。
【００１０】
本発明は、ディスクトレイのアンローディング完了時の横揺れ（がたつき）を防止し、動作品位を向上させた光ディスク装置を提供することを目的とする。
【課題を解決するための手段】
【００１１】
上記目的を達成するために本発明は、光ディスクを搬送するディスクトレイと、該ディスクトレイを支持するシャーシと、前記ディスクトレイに搬送方向に沿って設けられたラックと、前記シャーシに設けられ前記ラックに噛合して前記ディスクトレイを駆動するピニオンと、前記ディスクトレイをアンローディング完了位置で止めるため、前記ディスクトレイの後端付近の左右側面に設けられた抜け止めリブと、該抜け止めリブに対向して前記シャーシの前端付近に設けられたストッパとを備えた光ディスク装置において、
アンローディングの際に、それぞれの抜け止めリブとストッパとを同時に衝突する位置に設けることを特徴とする。
【００１２】
この構成によると、ディスクトレイのアンローディング完了時にそれぞれの抜け止めリブがストッパに同時に衝突するので、ディスクトレイの横揺れを防止できる。
【００１３】
上記の光ディスク装置において、それぞれの抜け止めリブをストッパに同時に衝突させるため、前記抜け止めリブは、前記ラックに近い方の第１の抜け止めリブと、前記ラックから遠い方の第２の抜け止めリブとからなり、
前記ストッパは、第１の抜け止めリブに対向する第１のストッパと、第２の抜け止めリブに対向する第２のストッパとからなり、
第２の抜け止めリブが第１の抜け止めリブよりも前方に設けられる構成とすればよい。
【００１４】
他にも、前記抜け止めリブは、前記ラックに近い方の第１の抜け止めリブと、前記ラックから遠い方の第２の抜け止めリブとからなり、
前記ストッパは、第１の抜け止めリブに対向する第１のストッパと、第２の抜け止めリブに対向する第２のストッパとからなり、
第２のストッパが第１のストッパよりも後方に設けられる構成としてもよい。
【００１５】
上記の本発明を具体化すると、光ディスクを搬送するディスクトレイと、該ディスクトレイを支持するシャーシと、前記ディスクトレイの裏面の左右側縁に沿って設けられたガイド溝と、該ガイド溝がそれぞれ嵌合するように前記シャーシに設けられた複数の摺動リブと、一方の前記ガイド溝の側壁に沿って設けられたラックと、前記シャーシに設けられ前記ラックに噛合して前記ディスクトレイを駆動するピニオンと、前記ディスクトレイをアンローディング完了位置で止めるため、前記ディスクトレイの後端付近の左右側面に設けられた抜け止めリブと、該抜け止めリブに対向して前記シャーシの前端付近に設けられたストッパとを備えた光ディスク装置において、
前記抜け止めリブは、前記ラックに近い方の第１の抜け止めリブと、前記ラックから遠い方の第２の抜け止めリブとからなり、
前記ストッパは、第１の抜け止めリブに対向する第１のストッパと、第２の抜け止めリブに対向する第２のストッパとからなり、
第２の抜け止めリブが第１の抜け止めリブよりも前方に設けられ、アンローディングの際に、第１及び第２の抜け止めリブがそれぞれ第１及び第２のストッパに同時に衝突する構成となる。
【発明の効果】
【００１６】
本発明によれば、ディスクトレイのアンローディング時に抜け止めリブがそれぞれのストッパに同時に衝突するので、従来生じていたディスクトレイのアンローディング完了時の横揺れを防止し、動作品位を向上させることができる。
【発明を実施するための最良の形態】
【００１７】
図１は、ディスクトレイの透過平面図である。図中、透過部品を破線で示している。光ディスクを搬送するディスクトレイ１１は、樹脂の一体成型品であり、表面に光ディスク載置部１２を有し、ディスクトレイ１１を摺動させるためのガイド溝１３ａ、１３ｂが裏面の左右側縁に沿って形成され、一方のガイド溝１３ａの側壁に沿ってラック１４が形成され、ディスクトレイ１１をアンローディング完了位置で止めるための抜け止めリブ１５ａ、１５ｂが後端付近の左右外側面に形成されている。
【００１８】
ここで、抜け止めリブ１５ａ、１５ｂは、ラック１４に近い方を第１の抜け止めリブ１５ａと呼び、ラック１４から遠い方を第２の抜け止めリブ１５ｂと呼ぶことにする。抜け止めリブ１５ａ、１５ｂは、ディスクトレイ１１に一体成形された突起であり、その形状には特に限定はなく、ディスクトレイの前方側にストッパ（後述）と衝突する面が形成されていれば足りる。図１では第２の抜け止めリブ１５ｂが第１の抜け止めリブ１５ａよりも長さＸだけ前方に設けられている。この理由については後述する。
【００１９】
図２は、ローダシャーシ２０の平面図である。ディスクトレイ１１を支持するローダシャーシ２０は、樹脂成型品であり、ガイド溝１３ａ、１３ｂがそれぞれ嵌合するように摺動リブ２１ａ〜２１ｄが形成され、ラック１４に噛合してディスクトレイ１１を駆動するピニオン２２が設けられ、抜け止めリブ１５ａ、１５ｂに対向してローダシャーシ２０の前端付近にストッパ２３ａ、２３ｂが形成されている。
【００２０】
ここで、ストッパ２３ａ、２３ｂは、第１の抜け止めリブ１５ａに対向する方を第１のストッパ２３ａと呼び、第２の抜け止めリブ１５ｂに対向する方を第２のストッパ２３ｂと呼ぶことにする。ストッパ２３ａ、２３ｂは、ローダシャーシ２０に一体成形された突起であり、その形状は図２に示すような板バネ状であることが望ましい。板バネ状にすることで、ローダシャーシ２０にディスクトレイ１１を組み付ける作業が容易になる。ディスクトレイ１１をローダシャーシ２０に挿入する作業においては、抜け止めリブ１５ａ、１５ｂがストッパ２３ａ、２３ｂを押し曲げるので簡単に挿入できる。一方、ディスクトレイ１１をローダシャーシ２０から抜き出そうとすると、抜け止めリブ１５ａ、１５ｂがストッパ２３ａ、２３ｂの先端に衝突して抜けることがない。なお、図２では、第１及び第２のストッパ２３ａ、２３ｂがローダシャーシ２０の内側面に左右線対称に設けられている。
【００２１】
次に、ディスクトレイ１１の動作について説明する。図３は、ローダシャーシ２０からディスクトレイ１１をアンローディングした状態を示す透過平面図である。図中、透過部品を破線で示している。ディスクトレイ１１はローダシャーシ２０に摺動可能に支持される。ピニオンがモータ（不図示）からの動力によって回転してラックを駆動させると、ガイド溝１３ａ、１３ｂが摺動リブ２１ａ〜２１ｄに沿って移動することによりディスクトレイ１１が安定して搬送される。
【００２２】
次に、ディスクトレイ１１の動作のうちのアンローディング動作について詳細に説明する。ディスクトレイ１１がローダシャーシ２０に収納された状態で、ユーザによりディスクトレイ開閉ボタン（不図示）が押下されると、モータが駆動し、ディスクトレイ１１のアンローディングを開始する。このとき、ピニオン２２の駆動力がラック１４側に掛かった状態でディスクトレイ１１が押し出されるので、アンローディング中のディスクトレイ１１は左右対称にアンローディングされるのではなく、ラック１４側が先にアンローディングされる。その結果、摺動リブ２１ａ〜２１ｄとガイド溝１３ａ、１３ｂとの間の隙間分だけディスクトレイ１１が傾いてアンローディングされる。
【００２３】
そして、アンローディングの最中に抜け止めリブ１５ａ、１５ｂがストッパ２３ａ、２３ｂに衝突することにより、ディスクトレイ１１が停止し、それによりモータに負荷が掛かってモータが停止し、アンローディングが完了する。ここで、上述のように、第２の抜け止めリブ１５ｂが第１の抜け止めリブ１５ａよりも長さＸだけ前方に設けられているため、傾いてアンローディングされているディスクトレイ１１の抜け止めリブ１５ａ、１５ｂは、それぞれのストッパ２３ａ、２３ｂに同時に衝突する。逆に言えば、抜け止めリブ１５ａ、１５ｂがそれぞれのストッパ２３ａ、２３ｂに同時に衝突するように、長さＸを設定する。
【００２４】
ここで長さＸの算出方法について説明する。図４は、アンローディング時のガイド溝１３ａと摺動リブ２１ａ、２１ｂとの位置関係を示す模式平面図である。ディスクトレイ１１の傾き角、即ちガイド溝１３ａの側壁と摺動リブ２１ａ、２１ｂを結ぶ直線とがなす角をθとし、ガイド溝１３ａの幅をｘ、摺動リブ２１ａ、２１ｂの長さと摺動リブ２１ａ、２１ｂ間距離とを合わせた長さをｙ、摺動リブ２１ａ、２１ｂの幅をｚ、ディスクトレイ１１の幅、即ち抜け止めリブ１５ａ、１５ｂ間距離をＹとする。
【００２５】
このとき、摺動リブ２１ｂの前面に沿った、摺動リブ２１ｂの左前端からガイド溝１３ａの左側壁までの長さｗは、ｘ−ｚで近似できる。そして、ｔａｎθ＝ｗ／ｙ≒（ｘ−ｚ）／ｙとなり、θを求めることができる。また、Ｘ＝Ｙ・ｓｉｎθであるので、求めたθの値とＹの設計値とを代入してＸを求めることができる。
【００２６】
求めた長さＸを設計値とすれば、ディスクトレイ１１のアンローディング時に抜け止めリブ１５ａ、１５ｂがそれぞれのストッパ２３ａ、２３ｂに同時に衝突するので、従来生じていたディスクトレイのアンローディング完了時の横揺れを防止し、動作品位を向上させることができる。
【００２７】
なお、上記の実施形態では、第２の抜け止めリブ１５ｂを第１の抜け止めリブ１５ａよりも長さＸだけ前方に設け、第１及び第２のストッパ２３ａ、２３ｂをローダシャーシ２０の内側面に左右線対称に設けることにより、抜け止めリブ１５ａ、１５ｂをストッパ２３ａ、２３ｂに同時に衝突させる設計としたが、アンローディングの際にそれぞれの抜け止めリブ１５ａ、１５ｂがストッパ２３ａ、２３ｂに同時に衝突すれば、それらの位置には特に限定はない。例えば、第２のストッパ２３ｂを第１のストッパ２３ａよりも長さＸだけ後方に設け、第１及び第２の抜け止めリブ１５ａ、１５ｂをディスクトレイ１１の外側面に左右線対称に設けてもよい。また例えば、第２の抜け止めリブ１５ｂを第１の抜け止めリブ１５ａよりも長さｍだけ前方に設け、第２のストッパ２３ｂを第１のストッパ２３ａよりも長さｎだけ後方に設けてもよい（但し、ｍ＋ｎ＝Ｘ）。
【００２８】
上記のディスクトレイ１１及びローダシャーシ２０は、ＣＤやＤＶＤ等の光ディスクを再生、記録する光ディスク装置に搭載される。光ディスク装置の一例としてＤＶＤプレーヤを例にその構成を説明する。ＤＶＤプレーヤは、ＤＶＤにデジタル記録された画像データをデータ・ビット・ストリームとして読み出すディスクドライブ装置と、読み出されたデータ・ビット・ストリームから圧縮変換前の画像データと音声データとを復元して画像と音声を再生するデコーダと、ＤＶＤプレーヤ全体の動作を制御する制御部と、視聴制限の基準となる所定の周波数を格納するＥＥＰＲＯＭと、リモコンからの赤外線の明滅信号による操作指示を入力する受光回路と、ユーザがＤＶＤプレーヤに対する操作指示をＤＶＤプレーヤ側にて実施可能な操作パネルとから構成されている。付属品として上記の操作指示を入力するリモコンがある。
【００２９】
ディスクドライブ装置は、フォーカス用の磁気駆動部等に対して制御信号を送出することにより光ピックアップを所定位置に駆動させるサーボ信号処理部と、光ピックアップからの読み取り信号を増幅して所定の制御信号を生成するＲＦアンプと、増幅された信号の中から記録されているデジタルデータを復元してデータ・ビット・ストリームに変換して出力するＣＤ信号処理部とから構成されている。
【００３０】
そして、制御部による制御のもとでこれらが相互に作動し、ＤＶＤに記録されたデータ・ビット・ストリームをデコーダに出力可能となっている。デコーダはデータ・ビット・ストリームをビデオ成分とオーディオ成分とに分離するとともにＭＰＥＧ復調し、ビデオ信号と音声信号とに復元しつつそれらを同期させて出力する。
【００３１】
制御部の内部には演算処理の主体となるＣＰＵとともに、所定の制御プログラムが記録されたＲＯＭやワークエリアなどとして利用されるＲＡＭが備えられているとともに、外部機器を制御するための制御回路が備えられている。この制御部による制御のもとで上述したようにディスクドライブ装置やデコーダが画像及び音声を再生する。
【産業上の利用可能性】
【００３２】
本発明は、ＣＤやＤＶＤ等の光ディスクを再生、記録する光ディスク装置であって、ディスクトレイで光ディスクを搬送するものに利用することができる。
【図面の簡単な説明】
【００３３】
【図１】本発明のディスクトレイの透過平面図である。
【図２】本発明のローダシャーシの平面図である。
【図３】本発明のローダシャーシからディスクトレイをアンローディングした状態を示す透過平面図である。
【図４】本発明のアンローディング時のガイド溝と摺動リブとの位置関係を示す模式平面図である。
【図５】従来のディスクトレイとローダシャーシの平面図である。
【符号の説明】
【００３４】
１１    ディスクトレイ
１３ａ、１３ｂ    ガイド溝
１４    ラック
１５ａ、１５ｂ    抜け止めリブ
２０    ローダシャーシ
２１ａ〜２１ｄ    摺動リブ
２２    ピニオン
２３ａ、２３ｂ    ストッパ
【図１】
2007193871.tif 000003
【図２】
2007193871.tif 000004
【図３】
2007193871.tif 000005
【図４】
2007193871.tif 000006
【図５】
2007193871.tif 000007